(57)【要約】【課題】簡易な構成で従来よりも締結部材が外れにくいボールジョイント用ダストカバーを得ること。【解決手段】球頭部（１１１）に軸部（１１２）が付けられたボールスタッド（１１）と、ボールスタッドが挿入された開口部（１２１）及び球頭部が収納される収納部（１２２）を有するソケット（１２）と、を備えるボールジョイント（１０）のソケットの外周に装着されて、締結部材（バンド１５）によって外周から締め付けられるボールジョイント用ダストカバー（１４）であって、ボールスタッドに装着される小径開口部（１４３）と、ソケットに装着される大径開口部（１４１）と、が設けられており、締結部材が接する締結部材の装着面（バンド装着面１４０）は、ソケットの外周に設けられた凹部の外側に形成され、締結部材の装着面は、断面図において下側に向かって深くなる傾斜面を有する。【選択図】図１
2020200893.tif 000002
【特許請求の範囲】
【請求項１】
球頭部に軸部が付けられたボールスタッドと、該ボールスタッドが挿入された開口部及び前記球頭部が収納される収納部を有するソケットと、を備えるボールジョイントの前記ソケットの外周に装着されて、締結部材によって外周から締め付けられるボールジョイント用ダストカバーであって、
前記ボールスタッドに装着される小径開口部と、
前記ソケットに装着される大径開口部と、が設けられており、
前記締結部材が接する前記締結部材の装着面は、前記ソケットの外周に設けられた凹部の外側に形成され、
前記締結部材の装着面は、断面図において下側に向かって深くなる傾斜面を有するボールジョイント用ダストカバー。
【請求項２】
曲面で形成されている上側凸部と、前記凹部側に平面を有する下側凸部と、により挟まれる前記凹部の外側に前記装着面が形成される請求項１に記載のボールジョイント用ダストカバー。
【請求項３】
曲面で形成されている上側凸部と、前記凹部から外周側に広がるように傾斜する傾斜面と、により挟まれる前記凹部の外側に前記装着面が形成される請求項１に記載のボールジョイント用ダストカバー。
【請求項４】
球頭部に軸部が付けられたボールスタッドと、該ボールスタッドが挿入された開口部及び前記球頭部が収納される収納部を有するソケットと、を備えるボールジョイントの前記ソケットの外周に装着されて、締結部材によって外周から締め付けられるボールジョイント用ダストカバーであって、
前記ボールスタッドに装着される小径開口部と、
前記ソケットに装着される大径開口部と、が設けられており、
前記締結部材が接する前記締結部材の装着面は、前記ソケットの外周に設けられた凸部の下側の外側に形成され、
前記締結部材の装着面は、断面図において上側に向かって深くなる傾斜面を有するボールジョイント用ダストカバー。
【請求項５】
下側に平面を有する前記凸部と、下側が外周側に広がるように傾斜する傾斜面と、により挟まれた部分の外側に前記装着面が形成される請求項４に記載のボールジョイント用ダストカバー。
【発明の詳細な説明】
【技術分野】
【０００１】
本発明は、ボールジョイント用ダストカバーに関する。
【背景技術】
【０００２】
一般に、自動車等のサスペンション及びステアリングのリンク間の結合部材として、ボールジョイントが広く用いられている。
ボールジョイントでは、ソケットに装着されたボールスタッドの球頭部が所定の角度範囲内で回転する。
そして、この球頭部が回転する空間への泥水又はダスト等の異物の混入を防止するために、ダストカバーが設けられている。
このダストカバーは、補強環、バンド又はサークリップ等によってソケットに装着される。
バンド又はサークリップ等のダストカバーの外周から締め付ける締結部材を装着すると、締結部材がダストカバーに密着し、且つダストカバーの外周からこれを締め付けるため、ダストカバーによる異物の混入の防止をより確実なものとし、球頭部が回転する空間に配されるグリースをダストカバーの内側に保持することが可能である。
しかしながら、ダストカバーの外周からこれを締め付ける締結部材を用いると、締結部材を収容するソケットの形状によっては、ダストカバー及び締結部材が動いてしまい、締結部材がダストカバーから抜けてしまうことがある。
【０００３】
従来技術の一例である特許文献１には、ソケットに装着されるダストカバーの大径開口部の外周から締め付ける締結部材であるサークリップを収容する溝に、サークリップの抜け止用突起（８２）を設けることでサークリップの抜けを防止することが可能なボールジョイント用ダストカバーが開示されている。
【先行技術文献】
【特許文献】
【０００４】
【特許文献１】特開２０１２−９２８５８号公報
【発明の概要】
【発明が解決しようとする課題】
【０００５】
上述のように、ダストカバーの外周から締め付ける締結部材を用いてダストカバーをソケットに装着する場合には、ボールスタッドの揺動時に締結部材が外れてしまうことがある。
【０００６】
本発明は、上記に鑑みてなされたものであって、簡易な構成で従来よりも締結部材が外れにくいボールジョイント用ダストカバーを得ることを目的とする。
【課題を解決するための手段】
【０００７】
上述の課題を解決して目的を達成する本発明は、球頭部に軸部が付けられたボールスタッドと、該ボールスタッドが挿入された開口部及び前記球頭部が収納される収納部を有するソケットと、を備えるボールジョイントの前記ソケットの外周に装着されて、締結部材によって外周から締め付けられるボールジョイント用ダストカバーであって、前記ボールスタッドに装着される小径開口部と、前記ソケットに装着される大径開口部と、が設けられており、前記締結部材が接する前記締結部材の装着面は、前記ソケットの外周に設けられた凹部の外側に形成され、前記締結部材の装着面は、断面図において下側に向かって深くなる傾斜面を有するボールジョイント用ダストカバーである。
【０００８】
上記構成のボールジョイント用ダストカバーは、曲面で形成されている上側凸部と、前記凹部側に平面を有する下側凸部と、により挟まれる前記凹部の外側に前記装着面が形成されるとよい。
【０００９】
上記構成のボールジョイント用ダストカバーは、曲面で形成されている上側凸部と、前記凹部から外周側に広がるように傾斜する傾斜面と、により挟まれる前記凹部の外側に前記装着面が形成されてもよい。
【００１０】
又は、上述の課題を解決して目的を達成する本発明は、球頭部に軸部が付けられたボールスタッドと、該ボールスタッドが挿入された開口部及び前記球頭部が収納される収納部を有するソケットと、を備えるボールジョイントの前記ソケットの外周に装着されて、締結部材によって外周から締め付けられるボールジョイント用ダストカバーであって、前記ボールスタッドに装着される小径開口部と、前記ソケットに装着される大径開口部と、が設けられており、前記締結部材が接する前記締結部材の装着面は、前記ソケットの外周に設けられた凸部の下側の外側に形成され、前記締結部材の装着面は、断面図において上側に向かって深くなる傾斜面を有するボールジョイント用ダストカバーである。
【００１１】
上記構成のボールジョイント用ダストカバーは、下側に平面を有する前記凸部と、下側が外周側に広がるように傾斜する傾斜面と、により挟まれた部分の外側に前記装着面が形成されるとよい。
【発明の効果】
【００１２】
本発明によれば、簡易な構成で従来よりも締結部材が外れにくいボールジョイント用ダストカバーを得ることができる、という効果を奏する。
【図面の簡単な説明】
【００１３】
【図１】実施形態１に係るボールジョイント用ダストカバーが装着されたボールジョイントを示す断面図である。
【図２】図１に示す凹部の近傍の拡大断面図である。
【図３】実施形態２に係るボールジョイント用ダストカバーが装着されたボールジョイントを示す断面図である。
【図４】図３に示す凸部の近傍の拡大断面図である。
【図５】実施形態２に係る変形例のソケットにおける凸部の近傍の拡大断面図である。
【図６】変形例のソケットの拡大断面図である。
【発明を実施するための形態】
【００１４】
本発明の実施形態について図面を参照して以下に説明する。
ただし、本発明は、以下の実施形態の記載によって限定解釈されるものではない。
【００１５】
＜実施形態１＞
図１は、本実施形態に係るボールジョイント用ダストカバー１４が装着されたボールジョイント１０を示す断面図である。
図１に示すボールジョイント１０は、ボールスタッド１１と、ソケット１２と、ボールジョイント用ダストカバー１４と、バンド１５と、ナックル１６とを備える。
図１に示すソケット１２の外周には、凹部１３が設けられている。
【００１６】
ボールスタッド１１は、球頭部１１１に軸部１１２が付けられた構成であり、球頭部１１１は所定の角度範囲内で回転する。
【００１７】
ソケット１２は、ボールスタッド１１が挿入される開口部１２１と、球頭部１１１が収納される収納部１２２とを有する。
【００１８】
凹部１３は、ソケット１２の外周に設けられた、ボールジョイント用ダストカバー１４を装着する部分であり、機械加工によって形成される。
【００１９】
ボールジョイント用ダストカバー１４には、ボールスタッド１１の軸部１１２に装着されてシールする一端の小径開口部１４３と、ソケット１２の外周に設けられた凹部１３に装着されてシールする他端の大径開口部１４１と、小径開口部１４３と大径開口部１４１との間に位置する膜部１４２と、が設けられている。
ボールジョイント用ダストカバー１４は、収納部１２２への異物の混入を防止する。
【００２０】
バンド１５は、凹部１３の位置に配され、ボールジョイント用ダストカバー１４に接してボールジョイント用ダストカバー１４をこれの外周から締め付ける締結部材である。
ここで、締結部材としては、バンド１５に代えてサークリップが用いられていてもよい。
しかしながら、バンド又はサークリップがボールジョイント用ダストカバー１４をこれの外周から締め付けると、バンド又はサークリップがボールジョイント用ダストカバー１４から抜けてしまう場合がある。
【００２１】
図２は、図１に示す凹部１３の近傍の拡大断面図である。
図２に示す凹部１３は、上側凸部１３１と、下側凸部１３３とにより挟まれた部分に形成されている。
【００２２】
図２に示す下側凸部１３３は、ボールジョイント用ダストカバー１４が接する凹部１３側に平面を有することでボールジョイント用ダストカバー１４の下側への抜けを防止するストッパーとなるため、略均一な厚さの従来のボールジョイント用ダストカバーであってもバンド１５が下側に抜けることを防止可能である。
しかしながら、図２に示すように、上側凸部１３１が曲面で形成され、ボールジョイント用ダストカバー１４が接する凹部１３側に平面を有していない場合には、略均一な厚さの従来のボールジョイント用ダストカバーをソケット１２に装着すると、ボールスタッド１１の揺動時にバンド１５が上側に抜けてしまうことがある。
このような曲面で形成された上側凸部１３１は、カシメ加工によって形成されうる。
なお、ここで、平面は平らな面であり、曲面は平面と相対する形状であって曲率を有する形状の面であり、断面においては、平面は直線で表され、曲面は曲線で表される。
【００２３】
そこで、本実施形態では、図２に示すように、ボールジョイント用ダストカバー１４のバンド装着面１４０は、上側から下側に向かって深くなる傾斜面を有する形状とする。
図２に示すバンド装着面１４０にバンド１５を締め付けていくと、バンド１５の上側の部分がボールジョイント用ダストカバー１４に接触し、バンド１５が傾斜面に沿って滑り、バンド１５の下側の部分がバンド装着面１４０の下側の面に接触し、ボールジョイント用ダストカバー１４がバンド１５を下側に押さえる力が発生し、バンド１５が下側に押さえられる。
そのため、バンド１５の下側ではボールジョイント用ダストカバー１４を下向きに押さえる力が強くなり、ボールジョイント用ダストカバー１４が上方向に抜けにくくなるので、ボールジョイント用ダストカバー１４がソケット１２から外れることを防止することができる。
【００２４】
以上説明した本実施形態によれば、簡易な構成で従来よりも締結部材が外れにくいボールジョイント用ダストカバーを得ることができる。
【００２５】
＜実施形態２＞
実施形態１では、ボールジョイント用ダストカバーのバンド装着面が、ソケットの下側に向かうにつれて深くなる傾斜面を有する形態について説明したが、本発明はこれに限定されるものではない。
本実施形態では、ボールジョイント用ダストカバーのバンド装着面が、ソケットの上側に向かうにつれて深くなる傾斜面を有する形態について説明する。
【００２６】
図３は、本実施形態に係るボールジョイント用ダストカバー１４ａが装着されたボールジョイント１０ａを示す断面図である。
図３に示すボールジョイント１０ａは、図１に示すボールジョイント１０におけるソケット１２に代えてソケット１２ａを備え、ボールジョイント用ダストカバー１４に代えてボールジョイント用ダストカバー１４ａを備え、その他の構成は同じである。
【００２７】
ソケット１２ａは、凹部１３が設けられておらず凸部１３１ａが設けられている点がソケット１２と異なり、その他の構成は同じである。
凸部１３１ａは、下側に平面を有する。
【００２８】
ボールジョイント用ダストカバー１４ａには、ボールスタッド１１の軸部１１２に装着されてシールする一端の小径開口部１４３ａと、ソケット１２ａの外周に装着されてシールする他端の大径開口部１４１ａと、小径開口部１４３ａと大径開口部１４１ａとの間に位置する膜部１４２ａと、が設けられている。
ボールジョイント用ダストカバー１４ａは、収納部１２２への異物の混入を防止する。
【００２９】
図４は、図３に示す凸部１３１ａの近傍の拡大断面図である。
図４に示す凸部１３１ａは、ソケット１２ａの外周に設けられ、機械加工によって形成される。
【００３０】
図４に示す凸部１３１ａは、ボールジョイント用ダストカバー１４ａが接する下側に平面を有することでボールジョイント用ダストカバー１４ａの上側への抜けを防止するストッパーとなり、略均一な厚さの従来のボールジョイント用ダストカバーであってもバンド１５が上側に抜けることを防止可能である。
しかしながら、図４に示すようにソケット１２ａは下側凸部を有していないため、略均一な厚さの従来のボールジョイント用ダストカバーをソケット１２ａに装着すると、ボールスタッド１１の揺動時にバンド１５が下側に抜けてしまうことがある。
なお、ここで、平面は平らな面であり、曲面は平面と相対する形状であって曲率を有する形状の面であり、断面においては、平面は直線で表され、曲面は曲線で表される。
【００３１】
そこで、本実施形態においては、図４に示すようにボールジョイント用ダストカバー１４ａのバンド装着面１４０ａは、下側から上側に向かって深くなる傾斜面を有する形状とする。
図４に示すバンド装着面１４０ａにバンド１５を締め付けていくと、バンド１５の下側の部分がボールジョイント用ダストカバー１４ａに接触し、バンド１５が傾斜面に沿って滑り、バンド１５の上側の部分がバンド装着面１４０ａの上側の面に接触し、ボールジョイント用ダストカバー１４ａがバンド１５を上側に押さえる力が発生し、バンド１５が上側に押さえられる。
そのため、バンド１５の上側ではボールジョイント用ダストカバー１４ａを上向きに押さえる力が強くなり、ボールジョイント用ダストカバー１４ａが下方向に抜けにくくなるので、ボールジョイント用ダストカバー１４ａがソケット１２ａから外れることを防止することができる。
【００３２】
なお、図４には、下側凸部を有していないソケットとして、ボールジョイント用ダストカバー１４ａが配される部分の下側が鉛直面である形状を示しているが、本発明はこれに限定されるものではない。
下側凸部を有していないソケットにおいては、ボールジョイント用ダストカバー１４ａが配される部分の下側が傾斜していてもよい。
【００３３】
図５は、本実施形態に係る変形例のソケット１２ｂにおける凸部１３１ａの近傍の拡大断面図である。
図５では、ソケット１２ａに代えてソケット１２ｂが示された点のみが図４と異なり、その他の構成は同じである。
図５に示すソケット１２ｂは、ボールジョイント用ダストカバー１４ａが配される部分の下側が外周側に広がるように傾斜する傾斜面１２３を有し、傾斜面１２３は、ボールジョイント用ダストカバーの下側への抜けを抑制する補助的なストッパーとなる。
図５に示すソケット１２ｂにおいては、凸部１３１ａと、傾斜面１２３と、により挟まれた部分の外側にバンド装着面１４０ａが形成されることで、ボールジョイント用ダストカバー１４ａが下方向に更に抜けにくくなり、ボールジョイント用ダストカバー１４ａがソケット１２ｂから外れることを防止することができる。
【００３４】
以上説明した本実施形態によっても、簡易な構成で従来よりも締結部材が外れにくいボールジョイント用ダストカバーを得ることができる。
【００３５】
なお、本発明を適用するに際して、上方向に抜けやすい形状のソケットには、実施形態１にて説明したボールジョイント用ダストカバー１４を装着し、下方向に抜けやすい形状のソケットには、実施形態２にて説明したボールジョイント用ダストカバー１４ａを装着する。
例えば、実施形態１の図１に示すソケット１２のように上側凸部１３１が曲面で形成され、且つ実施形態２の図５に示すソケット１２ｂのように傾斜面１２３を有するソケットでは、傾斜面１２３がボールジョイント用ダストカバーの下側への抜けを抑制する補助的なストッパーとなるため、下方向には抜けにくく、上方向には抜けやすい。
そのため、このような形状のソケットには、実施形態１に示すボールジョイント用ダストカバー１４を装着する。
【００３６】
図６は、変形例のソケット１２ｃの拡大断面図である。
図６に示すソケット１２ｃは、ソケット１２と同様に曲面で形成された上側凸部１３１と、ソケット１２ｂと同様にボールジョイント用ダストカバーが配される部分の下側が外周側に広がるように傾斜する傾斜面１２３と、を有し、上側凸部１３１と傾斜面１２３とにより挟まれた部分には、凹部１３ａが形成される。
図６に示すソケット１２ｃでは、傾斜面１２３によってボールジョイント用ダストカバーの下側への抜けが抑制されるものの、上側凸部１３１が曲面で形成されているため、ボールジョイント用ダストカバーは上側に抜けやすい。
そのため、図６に示すソケット１２ｃに対しては、ボールジョイント用ダストカバー１４を装着して上方向への抜けを防止することで、締結部材を外れにくくすることが可能である。
【００３７】
なお、上述の実施形態１，２において、大径開口部１４１，１４１ａには締結部材が装着されるための補強環が設けられていないことを前提としているが、小径開口部１４３，１４３ａには補強環が設けられていてもよい。
【００３８】
以上説明した本発明に係るボールジョイントは、例えば、自動車等のサスペンション及びステアリングのリンク間の結合部材として用いることができるが、これに限定されるものではない。
【符号の説明】
【００３９】
１０，１０ａ  ボールジョイント
１１  ボールスタッド
１１１  球頭部
１１２  軸部
１２，１２ａ，１２ｂ，１２ｃ  ソケット
１２１  開口部
１２２  収納部
１２３  傾斜面
１３，１３ａ  凹部
１３１  上側凸部
１３１ａ  凸部
１３３  下側凸部
１４，１４ａ  ボールジョイント用ダストカバー
１４０，１４０ａ  バンド装着面
１４１，１４１ａ  大径開口部
１４２，１４２ａ  膜部
１４３，１４３ａ  小径開口部
１５  バンド
１６  ナックル
【図１】
2020200893.tif 000003
【図２】
2020200893.tif 000004
【図３】
2020200893.tif 000005
【図４】
2020200893.tif 000006
【図５】
2020200893.tif 000007
【図６】
2020200893.tif 000008